(57)【特許請求の範囲】
【請求項１】
クランプと爪部により挟込むことが可能な長方形断面を有する長尺状のレールと、
同レールの長方形断面と同一形状かつ同一サイズの差込口であってレールの挿通とクランプの差込の両方に対応したクランプ差込口が左右側面と上面に開口し、かつ各クランプ差込口にそれぞれ対応する前記爪部と噛合う係合溝と複数のネジ穴とが正面に設けられた直方体形状の２つのブラケットホルダと、
同ブラケットホルダにそれぞれ連結される吸盤ベースであって、同一平面の被吸着面に吸着される２つの吸盤ベースと、
を有して成る釣り用レールキャリアであって、
前記２つの吸盤ベースは各々、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
当該釣り用レールキャリアは、
（１）同レバーの押下げ操作により吸盤の吸着面が被吸着面に吸着しているときに、前記レールがブラケットホルダ左右側面のクランプ差込口から挿通されることにより、
同レールは、レール軸方向が被吸着面と平行に固定されるとともに同レール軸方向にスライド移動可能となり、
（２）同レバーの引上げ操作により円錐型コイルバネが非吸着面による圧縮力から解放されたとき、
同円錐型コイルバネの復元力により吸盤の吸着面の中央部が突き出ることで、次回の吸盤吸着時における同吸着面の負圧を減少させる
ように構成されたことを特徴とする、釣り用レールキャリア。
【請求項２】
クランプと爪部により挟込むことが可能な長方形断面を有する長尺状のレールと、
同レールの長方形断面と同一形状かつ同一サイズの差込口であってレールの挿通とクランプの差込の両方に対応したクランプ差込口が左右側面と上面に開口し、かつ各クランプ差込口にそれぞれ対応する前記爪部と噛合う係合溝と複数のネジ穴とが正面に設けられた直方体形状の２つのブラケットホルダと、
同一平面の被吸着面に吸着される２つの吸盤ベースであって、前記ブラケットホルダの左右側面にあるクランプ差込口から挿通されたレール軸方向と直交する上下方向に可動するヒンジ機構により同ブラケットホルダに連結される吸盤ベースと、
を有して成る釣り用レールキャリアであって、
前記２つの吸盤ベースは各々、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
当該釣り用レールキャリアは、
（１）同レバーの押下げ操作により吸盤の吸着面が被吸着面に吸着しているときに、
（Ａ）同レールがブラケットホルダ左右側面のクランプ差込口から挿通されることにより、同レールは、レール軸方向が被吸着面と平行に固定されるとともに同レール軸方向にスライド移動可能となり加えて前記ヒンジ機構の開閉に付随してレール軸方向と直交する上下方向に傾斜可能となり、
（Ｂ）同レールがブラケットホルダ上面のクランプ差込口から挿通されることにより、同レールは、被吸着面と直交する鉛直面内で前記ヒンジ機構の開閉に付随して上下方向に傾斜可能となり、
（２）同レバーの引上げ操作により円錐型コイルバネが非吸着面による圧縮力から解放されたとき、
同円錐型コイルバネの復元力により吸盤の吸着面の中央部が突き出ることで次回の吸盤吸着時における同吸着面の負圧を減少させる
ように構成されたことを特徴とする、釣り用レールキャリア。
【請求項３】
請求項１または２に記載の釣り用レールキャリアであって、
前記レールの両端部に、同レールがブラケットホルダ左右側面のクランプ差込口から抜け落ちるのを防止するためのストッパが取付けられる
ように構成されたことを特徴とする、釣り用レールキャリア。
【請求項４】
クランプと爪部により挟込むことが可能な長方形断面を有する長尺状のレールと、
同レールの長方形断面と同一形状かつ同一サイズの差込口であってレールの挿通とクランプの差込の両方に対応したクランプ差込口が正面と上面に開口し、かつ各クランプ差込口にそれぞれ対応する前記爪部と噛合う係合溝と複数のネジ穴とが左右側面に設けられた直方体形状の２つのブラケットホルダと、
同ブラケットホルダにそれぞれ連結される吸盤ベースであって、同一平面の被吸着面に吸着される２つの吸盤ベースと、
を有して成る釣り用レールキャリアであって、
前記２つの吸盤ベースは各々、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
当該釣り用レールキャリアは、
（１）同レバーの押下げ操作により吸盤の吸着面が被吸着面に吸着しているときに、
同レールがブラケットホルダ正面のクランプ差込口から挿通されることにより、同レールは、レール軸方向が被吸着面と垂直に固定され、
（２）同レバーの引上げ操作により円錐型コイルバネが非吸着面による圧縮力から解放されたとき、
同円錐型コイルバネの復元力により吸盤の吸着面の中央部が突き出ることで、次回の吸盤吸着時における同吸着面の負圧を減少させる
ように構成されたことを特徴とする、釣り用レールキャリア。
【請求項５】
クランプと爪部により挟込むことが可能な長方形断面を有する長尺状のレールと、
同レールの長方形断面と同一形状かつ同一サイズの差込口であってレールの挿通とクランプの差込の両方に対応したクランプ差込口が正面と上面に開口し、かつ各クランプ差込口にそれぞれ対応する前記爪部と噛合う係合溝と複数のネジ穴とが左右側面に設けられた直方体形状の２つのブラケットホルダと、
同一平面の被吸着面に吸着される２つの吸盤ベースであって、前記ブラケットホルダの左右側面と直交する上下方向に可動するヒンジ機構により同ブラケットホルダに連結される吸盤ベースと、
を有して成る釣り用レールキャリアであって、
前記２つの吸盤ベースは各々、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
当該釣り用レールキャリアは、
（１）同レバーの押下げ操作により吸盤の吸着面が被吸着面に吸着しているときに、
（Ａ）同レールがブラケットホルダ正面のクランプ差込口から挿通されることにより、同レールは、レール軸方向が被吸着面と垂直に固定され、
（Ｂ）同レールがブラケットホルダ上面のクランプ差込口から挿通されることにより、同レールは、被吸着面と直交する鉛直面内で前記ヒンジ機構の開閉に付随して上下方向に傾斜可能となり、
（２）同レバーの引上げ操作により円錐型コイルバネが非吸着面による圧縮力から解放されたとき、
同円錐型コイルバネの復元力により吸盤の吸着面の中央部が突き出ることで次回の吸盤吸着時における同吸着面の負圧を減少させる
ように構成されたことを特徴とする、釣り用レールキャリア。
【請求項６】
請求項１乃至５のいずれか１項に記載の釣り用レールキャリアであって、
前記レールは、複数の長尺状板材を伸縮自在に継ぎ合せて形成されている
ように構成されたことを特徴とする、釣り用レールキャリア。
【請求項７】
クランプと爪部により挟込むことが可能な長方形断面を有する長尺状のレールの同長方形断面と同一形状かつ同一サイズの差込口であってレールの挿通とクランプの差込の両方に対応したクランプ差込口が左右側面と上面に開口するとともに、各クランプ差込口にそれぞれ対応する前記爪部と噛合う係合溝と複数のネジ穴とが正面に設けられた直方体形状のブラケットホルダ、に連結される吸盤ベースであって、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
（１）同レバーの押下げ操作により吸盤の吸着面が被吸着面に吸着しているときに、同レールがブラケットホルダ左右側面のクランプ差込口から挿通されることにより、
同レールは、レール軸方向が被吸着面と平行に固定されるとともに同レール軸方向にスライド移動可能となり、
（２）同レバーの引上げ操作により円錐型コイルバネが非吸着面による圧縮力から解放されたとき、
同円錐型コイルバネの復元力により吸盤の吸着面の中央部が突き出ることで、次回の吸盤吸着時における同吸着面の負圧を減少させる
ように構成されたことを特徴とする、吸盤ベース。
【請求項８】
クランプと爪部により挟込むことが可能な長方形断面を有する長尺状のレールの同長方形断面と同一形状かつ同一サイズの差込口であってレールの挿通とクランプの差込の両方に対応したクランプ差込口が左右側面と上面に開口するとともに、各クランプ差込口にそれぞれ対応する前記爪部と噛合う係合溝と複数のネジ穴とが正面に設けられた直方体形状のブラケットホルダに、同ブラケットホルダの左右側面にあるクランプ差込口から挿通されたレール軸方向と直交する上下方向に可動するヒンジ機構により連結される吸盤ベースであって、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
（１）同レバーの押下げ操作により吸盤の吸着面が被吸着面に吸着しているときに、
（Ａ）同レールがブラケットホルダ左右側面のクランプ差込口から挿通されることにより、同レールは、レール軸方向が被吸着面と平行に固定されるとともに同レール軸方向にスライド移動可能となり加えて前記ヒンジ機構の開閉に付随してレール軸方向と直交する上下方向に傾斜可能となり、
（Ｂ）同レールがブラケットホルダ上面のクランプ差込口から挿通されることにより、同レールは、被吸着面と直行する鉛直面内で前記ヒンジ機構の開閉に付随して上下方向に傾斜可能となり、
（２）同レバーの引上げ操作により円錐型コイルバネが非吸着面による圧縮力から解放されたとき、
同円錐型コイルバネの復元力により吸盤の吸着面の中央部が突き出ることで次回の吸盤吸着時における同吸着面の負圧を減少させる
ように構成されたことを特徴とする、吸盤ベース。
【請求項９】
クランプと爪部により挟込むことが可能な長方形断面を有する長尺状のレールの同長方形断面と同一形状かつ同一サイズの差込口であってレールの挿通とクランプの差込の両方に対応したクランプ差込口が正面と上面に開口するとともに、各クランプ差込口にそれぞれ対応する前記爪部と噛合う係合溝と複数のネジ穴とが左右側面に設けられた直方体形状のブラケットホルダ、に連結される吸盤ベースであって、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
（１）同レバーの押下げ操作により吸盤の吸着面が被吸着面に吸着しているときに、同レールがブラケットホルダ正面のクランプ差込口から挿通されることにより、
同レールは、レール軸方向が被吸着面と垂直に固定され、
（２）同レバーの引上げ操作により円錐型コイルバネが非吸着面による圧縮力から解放されたとき、
同円錐型コイルバネの復元力により吸盤の吸着面の中央部が突き出ることで、次回の吸盤吸着時における同吸着面の負圧を減少させる
ように構成されたことを特徴とする、吸盤ベース。
【請求項１０】
クランプと爪部により挟込むことが可能な長方形断面を有する長尺状のレールの同長方形断面と同一形状かつ同一サイズの差込口であってレールの挿通とクランプの差込の両方に対応したクランプ差込口が正面と上面に開口するとともに、各クランプ差込口にそれぞれ対応する前記爪部と噛合う係合溝と複数のネジ穴とが左右側面に設けられた直方体形状のブラケットホルダに、同ブラケットホルダの左右側面と直交する上下方向に可動するヒンジ機構により連結される吸盤ベースであって、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
（１）同レバーの押下げ操作により吸盤の吸着面が被吸着面に吸着しているときに、
（Ａ）同レールがブラケットホルダ正面のクランプ差込口から挿通されることにより、同レールは、レール軸方向が被吸着面と垂直に固定され、
（Ｂ）同レールがブラケットホルダ上面のクランプ差込口から挿通されることにより、同レールは、被吸着面と直交する鉛直面内で前記ヒンジ機構の開閉に付随して上下方向に傾斜可能となり、
（２）同レバーの引上げ操作により円錐型コイルバネが非吸着面による圧縮力から解放されたとき、
同円錐型コイルバネの復元力により吸盤の吸着面の中央部が突き出ることで次回の吸盤吸着時における同吸着面の負圧を減少させる
ように構成されたことを特徴とする、吸盤ベース。
【発明の詳細な説明】
【技術分野】
【０００１】
本発明は、被吸着面に吸着させた吸盤ベースによりレールを支持する釣り用レールキャリアに関する。
【背景技術】
【０００２】
公益財団法人・日本生産性本部の調査によれば「平成２２年度における釣り人口は９４０万人」という報告がなされている。
釣りは道具を簡単に入手でき、また川や海に出かけることで手軽に楽しむことができるため、釣りを一度でも体験したことがある単なる経験者も含めれば潜在的な釣り人口は相当の数にのぼると考えられる。
【０００３】
釣りをする場合には一般的に、釣針・うき・おもり・餌入箱をはじめとする様々な小物（細かな各種釣用品）が用いられる。
釣りをする環境は屋外のことが多く、足場の悪いごつごつした岩場、砂利だらけの川原、ところどころにゴミが放置された防波堤や路上、雨風の中で釣りをすることも珍しくない。
それゆえに小物や飲料・食料を地面に置くと、汚れや埃が付着したり、容器・包装から飲食物がこぼれたり、吹き飛ばされたり、水に濡れるおそれがあり、清潔を保ったままこれらを安心して置いておくことのできる置場には悩むことが多い。
【０００４】
ところで家庭内での物品設置を目的とした身近な製品に着目すれば、吸盤付のフックや吸盤付の小物入れ（箱や筒形ケース）を日常生活においてよく見かける。
これらの吸盤付製品は屋内で使用されることが想定されるため、壁面などに取付けた吸盤が外れてフックに懸架していた物品や小物入れに収納していた物品が床に落下しても、汚損や紛失などの心配はさほどない。
【０００５】
屋外でも屋内環境のように吸盤を取付けて、小物や飲料・食料を安心して置いておける置場を自由に設営できれば便利である。
しかし上述したように屋外で釣りをするときの環境は、家庭用の吸盤付製品が用いられる使用環境からはかけ離れた劣悪な条件といえる。しかも屋外ゆえに、吸盤の取付に適した平坦面（壁面・ガラス面など）を釣場の近くで首尾よく見つけることもなかなか難しい。
釣場に所持できる荷物は人が持ち歩ける程度の手荷物となるため、運べる量は限られたものとなってしまう。そのため吸盤を取付ける土台になる物をわざわざ釣場まで運んでいくのも手間である。
【０００６】
しかし釣上げた魚や釣用品の収納に用いるクーラーボックスであれば、釣場に持参することも多い。また市場に広く出回っているクーラーボックスはそのほとんどが直方体形状をしており、吸盤を吸着できそうな平坦な壁面を備えている。
そのためクーラーボックスを土台にして吸盤ベースを取付け、同吸盤ベースにフック・ドリンクホルダ・収納ケース（小物入れ）を装着したり、同吸盤ベースにレールを装着して釣竿を立てかけられるようにすれば、野外の釣場における小物置場の不自由も一気に解消されると考えられる。
【０００７】
実際、釣り用途を目的とした吸盤付の保持具も種々考案されている（例えば、特許文献１・２参照。）。
特許文献１・２の技術によれば吸盤ベースこそ単純な構造ではあるものの、釣場において釣り人が実際に直面する不便に配慮した様々な工夫が凝らされている。
また釣具以外の他分野においても、吸盤ベースの吸着性能改善を図るための様々な改良技術が考え出されている（例えば、特許文献３・４参照。）。
さらに吸盤のように着脱可能な取付具は使用していないものの、クーラーボックス正面に直にレールを取付けた製品も釣具市場において流通している（非特許文献１参照）。
【先行技術文献】
【特許文献】
【０００８】
【特許文献１】特開平１１−０７５６５０号公報
【特許文献２】実登３０８９６０７号公報
【特許文献３】特開２０１１−１３７５０８号公報
【特許文献４】特開２０１１−０９４７１５号公報
【非特許文献】
【０００９】
【非特許文献１】株式会社シマノ、“製品情報  フィクセル・サーフ  キス  スペシャル  １２０  ＵＦ−Ｎ１２Ｎ”、［online］、株式会社シマノ、［平成27年4月26日検索］、インターネット〈URL：http://fishing.shimano.co.jp/product/goods/4007〉
【発明の概要】
【発明が解決しようとする課題】
【００１０】
上述したように非特許文献１のクーラーボックスには、釣用具を吊下げることができるようにクーラーボックスの正面部分にレールが取付けられている。
しかしながら非特許文献１の技術ではレールの支持具として、吸盤のようにクーラーボックス壁面に着脱可能な構成が採用されていない。そのため非特許文献１では使用環境（釣場など）に応じて、使用者の好みの取付場所にレールの設置場所を自由に移すことができない。
また非特許文献１の技術ではレール支持具の取付位置を変更できないため、クーラーボックスに標準装備されたレール以外の長さの異なるレールを使用することができない。それゆえに、せっかくレールが設けられていても利用シーンが限定的になってしまうという問題点がある。
【００１１】
さらに釣場へ行き帰りする際には枝の生い茂った藪や足場の悪い岩場などを通り抜けなければならないこともある。このような場合、非特許文献１の技術ではクーラーボックスにむき出しの状態で取付けられているレールが周囲に引っかかり移動の妨げになることも考えられる。
上述したような釣りに関する特有事情に鑑みると、屋外環境でも安心して使用できるようしっかり取付けでき、さらに収納性（レールが取外し可能なこと）も高いレールキャリアに対する潜在的なニーズは大きいものと考えられる。
【００１２】
本発明は上記の問題に鑑みてなされたものであり、釣用具を懸架するためのレールをクーラーボックス壁面をはじめとする任意の取付場所に高い吸着力で着脱可能とすることを目的とする。
【課題を解決するための手段】
【００１３】
〔第１発明〕
そこで上記の課題を解決するために、本願の第１発明に係る釣り用レールキャリアは、
長尺状のレールと、
同レールの断面と同一形状かつ同一サイズのクランプ差込口が左右側面と上面に開口し、かつ複数のネジ穴が正面に設けられたブラケットホルダと、
同ブラケットホルダに連結される吸盤ベースと、
を有して成る釣り用レールキャリアであって、
前記吸盤ベースは、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
当該釣り用レールキャリアは、
（１）同レバーの押下げ操作により吸盤の吸着面が被吸着面に吸着しているときに、前記レールがブラケットホルダ左右側面のクランプ差込口から挿通されることにより、
同レールは、レール軸方向が被吸着面と平行に固定されるとともに同レール軸方向にスライド移動可能となり、
（２）同レバーの引上げ操作により円錐型コイルバネが非吸着面による圧縮力から解放されたとき、
同円錐型コイルバネの復元力により吸盤の吸着面の中央部が突き出ることで、次回の吸盤吸着時における同吸着面の負圧を減少させる構成とした。
【００１４】
第１発明に係る釣り用レールキャリアの一構成要素である吸盤ベース４には「ブラケットホルダ」（図１参照）が設けられている。
同ブラケットホルダ３には「取付方式の異なる２種類の取付孔」（ネジ穴３２、クランプ差込孔３１）がそれぞれ複数箇所に設けられている（図１）。
そのため使用者の好みに応じて自由に小物入れ・ドリンクホルダ・釣竿受・フックなどを取付けたり（図１１・図１２参照）、これらを懸架するためのレール２（図１）を設置することが可能となっている。
【００１５】
また本レールキャリアの吸盤ベースではレバーの引上げ操作により吸盤が被吸着面から取外されると、同吸盤４１と連関する円錐型コイルバネ４３がレバー４２の及ぼす引張力（円錐型コイルバネ４３を圧縮させる力）から解放される（図９参照）。
このとき円錐型コイルバネの復元力により、吸盤の吸着面４１１の中央部が突き出る（同図９）。そのため吸盤を取付ける際、吸着面４１１の外縁（円周部）が被吸着面に当接したときの「吸盤内の閉空間の体積」は、この面４１１の中央部が突き出していないときよりも小さくなる。
すなわち本レールキャリアでは「吸盤内に閉込められる空気の量を減らす」ことができ、吸盤の負圧を小さくできるため、高い吸着力でレールを壁面（被吸着面）に固着することができる。
上述の「吸盤内の閉空間の体積」とは、吸着面（放物面）と被吸着面（平坦面）によって仕切られたドーム状空間（図９）の体積のことを指す。
【００１６】
なお本願発明者の試行によれば合成樹脂表面・ガラス面・金属面などの均一平面はもちろん「シボ面であっても強固に吸着」することが可能である。
また吸盤の吸着効果の持続期間については吸盤を被吸着面に取付けてから「１ヶ月以上」経過しても、吸盤は壁面から外れることなく良好な吸着状態を維持することが観察されている。
【００１７】
さらに吸着力については、少なくとも「６キログラムの荷重に耐える」ことが実験結果として得られている。すなわち本吸盤ベースは、６キログラムの物体（試行では、２リットルの水が充填されたペットボトル３本）が吊下げられてもずり落ちることなく、同一位置にとどまり吸着状態を維持した。
なお本吸着ベースは上記のごとく優れた吸着性能を有しているにも関わらず、同吸盤ベースの着脱はレバーの上げ下げというきわめて簡単な操作で容易に且つ短時間で完了することができるようになっている。
【００１８】
さらに本願レールキャリアでは吸盤ベースとブラケットホルダを具備するがゆえに、非特許文献１のクーラーボックスでは生じ得なかった以下の３つの効果が生じる。
まず本願レールキャリアでは被吸着面に対し吸盤ベースを着脱可能なため、「使用者の好みの場所に自由にレールを移設」することができる。
また任意の位置に吸盤ベースを取付可能であるがゆえに、任意の長尺状板部材の長さに合わせて吸盤ベースを取付けることで「任意の長さの長尺状板部材をレールとして利用する」こともできる。
加えて本願発明ではブラケットホルダに異なる複数種類の取付方式を採用することで、レールに対する容器のクランプ装着だけでなく、ネジ止めによるドリンクホルダ・釣竿受・小物入れ・フックなどの装着にも広く対応可能となっている（図１２）。
【００１９】
なお本願レールキャリアではレールを設置する場合、ブラケットホルダに連結されている吸盤ベースをレバー操作により被吸着面に吸着させた後、同ブラケットホルダの左右両側面に設けられた「クランプ差込口からレールを挿通（差込）する」だけの単純な作業で済む。
そのため屋外環境においても、きわめて容易に且つ短時間で釣用具の置き場所を設営することができる。
【００２０】
またレールを撤去する際も、クランプ差込口に差込んであるレールを引抜いてから吸盤ベースをレバー操作により取外すだけでよいため、きわめて短時間で撤去作業を完了することが可能である。
釣りは屋外で行われる機会が多いため、天候の急変によりゲリラ豪雨のような突然の降雨に見舞われることもある。また魚の生息する水辺（川や海）では増水（潮位の上昇）による河川の氾濫や高波のおそれもあるため、一刻も早く釣場から離れなければ釣り人が危険な状況に陥ることすら考えられる。
このような釣りの特有事情に鑑みると、本レールキャリアの撤去に要する作業時間が短いことは使用者にとって大きなメリットをもたらすものと考えられる。
【００２１】
〔第２発明〕
また上記の課題を解決するために、本願の第２発明に係る釣り用レールキャリアは、
長尺状のレールと、
同レールの断面と同一形状かつ同一サイズのクランプ差込口が左右側面と上面に開口し、かつ複数のネジ穴が正面に設けられたブラケットホルダと、
ヒンジ機構により同ブラケットホルダに連結される吸盤ベースと、
を有して成る釣り用レールキャリアであって、
前記吸盤ベースは、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
当該釣り用レールキャリアは、
（１）同レバーの押下げ操作により吸盤の吸着面が被吸着面に吸着しているときに、
（Ａ）同レールがブラケットホルダ左右側面のクランプ差込口から挿通されることにより、同レールは、レール軸方向が被吸着面と平行に固定されるとともに同レール軸方向にスライド移動可能となり、
（Ｂ）同レールがブラケットホルダ上面のクランプ差込口から挿通されることにより、同レールは、被吸着面と直交する鉛直面内で前記ヒンジ機構の開閉に付随して傾斜可能となり、
（２）同レバーの引上げ操作により円錐型コイルバネが非吸着面による圧縮力から解放されたとき、
同円錐型コイルバネの復元力により吸盤の吸着面の中央部が突き出ることで次回の吸盤吸着時における同吸着面の負圧を減少させる構成とした。
【００２２】
第２発明の釣り用レールキャリアではブラケットホルダ上面のクランプ差込口３１−２からレール２を挿通することで（図１４参照）、地面に対し垂直な方向にレールを支持することが可能となっている。
また第２発明ではブラケットホルダと吸盤ベースの連結機構として「ヒンジ機構」を採用することで、ブラケットホルダ上面のクランプ差込口に差込んだレールを被吸着面と垂直な鉛直面内で任意の角度に傾斜することが可能となっている（同図１４）。
そのため壁面（被吸着面）沿いにレールを取付けるだけでなく、壁面からせり出した状態でもレールを支持することができるため帽子や上着を掛けることも可能になる。
【００２３】
〔第３発明〕
また上記の課題を解決するために本願の第３発明に係る釣り用レールキャリアは、第１または第２発明の釣り用レールキャリアであって、
前記レールの両端部に、同レールがブラケットホルダ左右側面のクランプ挿通口から抜け落ちるのを防止するためのストッパが取付けられる構成とした。
【００２４】
第３発明によれば釣り人がレールの端ちかくを通り過ぎるときに誤ってレールに衝突してしまった場合でも、ストッパによりレールの端部分が係止されるため衝突の勢いでレールがクランプ挿通口から抜け落ちてしまう事態を防ぎ得る。
【００２５】
〔第４発明〕
また上記の課題を解決するために、本願の第４発明に係る吸盤ベースは、
長尺状のレールと、
同レールの断面と同一形状かつ同一サイズのクランプ差込口が正面と上面に開口し、かつ複数のネジ穴が左右側面に設けられたブラケットホルダと、
同ブラケットホルダに連結される吸盤ベースと、
を有して成る釣り用レールキャリアであって、
前記吸盤ベースは、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
当該釣り用レールキャリアは、
（１）同レバーの押下げ操作により吸盤の吸着面が被吸着面に吸着しているときに、
同レールがブラケットホルダ正面のクランプ差込口から挿通されることにより、同レールは、レール軸方向が被吸着面と垂直に固定され、
（２）同レバーの引上げ操作により円錐型コイルバネが非吸着面による圧縮力から解放されたとき、
同円錐型コイルバネの復元力により吸盤の吸着面の中央部が突き出ることで、次回の吸盤吸着時における同吸着面の負圧を減少させる構成とした。
【００２６】
第４発明によればブラケットホルダ正面のクランプ差込口３１（図１７のクランプ差込口３１−４・３１−５）にレールを挿通することで、レールを被吸着面と垂直向きに固定できる。
ここで釣竿（もしくは長い棒状の物体）を支えるときに釣竿を被吸着面と直交する向きに立掛けると、バランスを崩して釣竿が横転してしまうことも多々ある。
しかし第４発明によれば、被吸着面から垂直方向に突き出したレールに対し釣竿を被吸着面と平行向きに立掛けることができるため、釣竿をバランスよく支持することが可能となる。
【００２７】
〔第５発明〕
また上記の課題を解決するために、本願の第５発明に係る吸盤ベースは、
長尺状のレールと、
同レールの断面と同一形状かつ同一サイズのクランプ差込口が正面と上面に開口し、かつ複数のネジ穴が左右側面に設けられたブラケットホルダと、
ヒンジ機構により同ブラケットホルダに連結される吸盤ベースと、
を有して成る釣り用レールキャリアであって、
前記吸盤ベースは、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
当該釣り用レールキャリアは、
（１）同レバーの押下げ操作により吸盤の吸着面が被吸着面に吸着しているときに、
（Ａ）同レールがブラケットホルダ正面のクランプ差込口から挿通されることにより、同レールは、レール軸方向が被吸着面と垂直に固定され、
（Ｂ）同レールがブラケットホルダ上面のクランプ差込口から挿通されることにより、同レールは、被吸着面と直交する鉛直面内で前記ヒンジ機構の開閉に付随して傾斜可能となり、
（２）同レバーの引上げ操作により円錐型コイルバネが非吸着面による圧縮力から解放されたとき、
同円錐型コイルバネの復元力により吸盤の吸着面の中央部が突き出ることで次回の吸盤吸着時における同吸着面の負圧を減少させる構成とした。
【００２８】
第５発明によればレールを被吸着面に対して垂直向きに固定できることから上記第４発明と同様の効果を奏するとともに、ヒンジ機構５（図１７）の開閉によりブラケットホルダ３に配設された任意のクランプ差込口３１に差込まれたレールを被吸着面と直交する鉛直面内で傾斜することが可能となる。
【００２９】
〔第６発明〕
また上記の課題を解決するために本願の第６発明に係る釣り用レールキャリアは、第１〜第５発明の釣り用レールキャリアであって、
前記レールは、複数の長尺状板材を伸縮自在に継ぎ合せて形成されている構成とした。
【００３０】
第６発明によればレールは「長手軸方向にスライドすることで伸縮自在な構造」となっている（図１５（ａ）・図１５（ｂ）参照）。そのため釣場の状況（広いスペース・狭いスペース）や吸盤ベースを吸着させる土台の大きさに合わせて、延ばすレールの長さを自由に選択できる。
これにより吸盤ベースの位置を動かすことなくレールを伸縮するだけで、様々な利用シーンに自在に対応可能となる。
また釣り人は釣用具を手荷物として持ち運ぶことが多いが、レールを伸縮可能として収納性を高めることで枝の生い茂った藪や足場の悪い岩場などの移動時にもレールが周囲に引っかかることを回避できる。
【００３１】
〔第７発明〕
また上記の課題を解決するために、本願の第７発明に係る吸盤ベースは、
長尺状のレールの断面と同一形状かつ同一サイズのクランプ差込口が左右側面と上面に開口するとともに複数のネジ穴が正面に設けられたブラケットホルダ、に連結される吸盤ベースであって、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
（１）同レバーの押下げ操作により吸盤の吸着面が被吸着面に吸着しているときに、同レールがブラケットホルダ左右側面のクランプ差込口から挿通されることにより、
同レールは、レール軸方向が被吸着面と平行に固定されるとともに同レール軸方向にスライド移動可能となり、
（２）同レバーの引上げ操作により円錐型コイルバネが非吸着面による圧縮力から解放されたとき、
同円錐型コイルバネの復元力により吸盤の吸着面の中央部が突き出ることで、次回の吸盤吸着時における同吸着面の負圧を減少させる構成とした。
【００３２】
第７発明に係る吸盤ベースは、第１発明（釣り用レールキャリア）における吸盤ベースに対応した技術的特徴を有するため、上記第１発明と同様の効果を奏することが可能となる。
【００３３】
〔第８発明〕
また上記の課題を解決するために、本願の第８発明に係る吸盤ベースは、
長尺状のレールの断面と同一形状かつ同一サイズのクランプ差込口が左右側面と上面に開口するとともに複数のネジ穴が正面に設けられたブラケットホルダ、にヒンジ機構により連結される吸盤ベースであって、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
（１）同レバーの押下げ操作により吸盤の吸着面が被吸着面に吸着しているときに、
（Ａ）同レールがブラケットホルダ左右側面のクランプ差込口から挿通されることにより、同レールは、レール軸方向が被吸着面と平行に固定されるとともに同レール軸方向にスライド移動可能となり、
（Ｂ）同レールがブラケットホルダ上面のクランプ差込口から挿通されることにより、同レールは、被吸着面と直交する鉛直面内で前記ヒンジ機構の開閉に付随して傾斜可能となり、
（２）同レバーの引上げ操作により円錐型コイルバネが非吸着面による圧縮力から解放されたとき、
同円錐型コイルバネの復元力により吸盤の吸着面の中央部が突き出ることで次回の吸盤吸着時における同吸着面の負圧を減少させる構成とした。
【００３４】
第８発明に係る吸盤ベースは、第２発明（釣り用レールキャリア）における吸盤ベースに対応した技術的特徴を有するため、上記第２発明と同様の効果を奏することが可能となる。
【００３５】
〔第９発明〕
また上記の課題を解決するために、本願の第９発明に係る吸盤ベースは、
長尺状のレールの断面と同一形状かつ同一サイズのクランプ差込口が正面と上面に開口するとともに複数のネジ穴が左右側面に設けられたブラケットホルダ、に連結される吸盤ベースであって、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
（１）同レバーの押下げ操作により吸盤の吸着面が被吸着面に吸着しているときに、同レールがブラケットホルダ正面のクランプ差込口から挿通されることにより、
同レールは、レール軸方向が被吸着面と垂直に固定され、
（２）同レバーの引上げ操作により円錐型コイルバネが非吸着面による圧縮力から解放されたとき、
同円錐型コイルバネの復元力により吸盤の吸着面の中央部が突き出ることで、次回の吸盤吸着時における同吸着面の負圧を減少させる構成とした。
【００３６】
第９発明に係る吸盤ベースは、第４発明（釣り用レールキャリア）における吸盤ベースに対応した技術的特徴を有するため、上記第４発明と同様の効果を奏することが可能となる。
【００３７】
〔第１０発明〕
また上記の課題を解決するために、本願の第１０発明に係る吸盤ベースは、
長尺状のレールの断面と同一形状かつ同一サイズのクランプ差込口が正面と上面に開口するとともに複数のネジ穴が左右側面に設けられたブラケットホルダ、にヒンジ機構により連結される吸盤ベースであって、
被吸着面に吸着する吸着面と、同吸着面の裏面である非吸着面からなる吸盤であって、同非吸着面の中央部に起立した垂直軸が取付けられた吸盤と、
同吸盤を被吸着面から着脱するための棒状のレバーであって、同吸盤の垂直軸に連結された一端がテコの支点を成すとともに開放端である他端がテコの力点を成すレバーと、
前記吸盤の垂直軸に挿通される螺旋状の円錐型コイルバネであって、同吸盤の非吸着面と前記テコの支点の間に挟まれるとともに同吸盤の非吸着面から同テコの支点までの距離よりも自然長の長い円錐型コイルバネと、
を備えるとともに、
同吸盤の非吸着面がブラケットホルダ背面と向き合うように連結されており、
加えて、前記レバーの押下げ操作がされると垂直軸が被吸着面から遠ざかる方向に引っ張られ、同レバーの引上げ操作がされると垂直軸が被吸着面に近づく方向に押されるように構成され、
（１）同レバーの押下げ操作により吸盤の吸着面が被吸着面に吸着しているときに、
（Ａ）同レールがブラケットホルダ正面のクランプ差込口から挿通されることにより、同レールは、レール軸方向が被吸着面と垂直に固定され、
（Ｂ）同レールがブラケットホルダ上面のクランプ差込口から挿通されることにより、同レールは、被吸着面と直交する鉛直面内で前記ヒンジ機構の開閉に付随して傾斜可能となり、
（２）同レバーの引上げ操作により円錐型コイルバネが非吸着面による圧縮力から解放されたとき、
同円錐型コイルバネの復元力により吸盤の吸着面の中央部が突き出ることで次回の吸盤吸着時における同吸着面の負圧を減少させる構成とした。
【００３８】
第１０発明に係る吸盤ベースは、第５発明（釣り用レールキャリア）における吸盤ベースに対応した技術的特徴を有するため、上記第５発明と同様の効果を奏することが可能となる。
【図面の簡単な説明】
【００３９】
【図１】実施形態１に係る釣り用レールキャリアの構成要素を示す外観斜視図である。
【図２】実施形態１に係る釣り用レールキャリアを組立てたときの外観斜視図である。
【図３】実施形態１におけるブラケットホルダと吸盤ベースの分解斜視図である。
【図４】実施形態１におけるブラケットホルダと吸盤ベースの外観斜視図である。
【図５】ブラケットホルダを示す図であって、（ａ）は右底面から見たときの外観斜視図、（ｂ）は左上面から見たときの外観斜視図である。
【図６】実施形態１における吸盤ベースの外観斜視図である。
【図７】吸盤の外観図であって、（ａ）は非吸着面の斜視図、（ｂ）は吸着面の斜視図である。
【図８】垂直軸が非吸着面に取付けられた状態の吸盤を示す外観斜視図である。
【図９】レバーが上がった状態にある実施形態１のブラケットホルダ・吸盤ベースの断面図である。
【図１０】レバーが下がった状態にある実施形態１のブラケットホルダ・吸盤ベースの断面図である。
【図１１】ドリンクホルダやフックをクランプ装着によりブラケットホルダに取付けるときの模式図である。
【図１２】フックをネジ止めによりブラケットホルダに取付けるときの模式図である。
【図１３】実施形態２においてブラケットホルダをまっすぐにしたときの吸盤ベースの外観斜視図である。
【図１４】実施形態２においてブラケットホルダを傾けたときの吸盤ベースの外観斜視図である。
【図１５】伸縮可能なレールを示す図であって、（ａ）は複数の長尺状板部材を重ねたレールの構成図、（ｂ）は入れ子構造のレールの構成図である。
【図１６】レール端部にストッパを設けた、釣り用レールキャリアの組立完成図である。
【図１７】ブラケットホルダと吸盤ベースの変形例を示す外観斜視図である。
【図１８】ブラケットホルダを示す外観斜視図であって、（ａ）はクランプ差込口を側面に平行に配置した例、（ｂ）はクランプ差込口を正面に平行に配置した例である。
【発明を実施するための形態】
【００４０】
以下、図１乃至図１８を参照して、本発明の釣り用レールキャリアについて説明する。
［実施形態１］
本発明の実施形態１は、ブラケットホルダ３に一体成型により連結された吸盤ベース４（図４参照）を用いて釣り用レールキャリア１を構成した例である。
【００４１】
図１は、実施形態１に係る釣り用レールキャリア１の構成要素を示す模式図である。
同図１において釣り用レールキャリア１は、長尺状のレール２と、ブラケットホルダ３と、同ホルダ３に連結される吸盤ベース４と、を有して構成されている。
【００４２】
本レールキャリア１は図２に示すように、任意の個数（最小は１つ）の吸盤ベース４によりブラケットホルダ３を壁面（吸盤ベース４によって吸着される被吸着面）に固着し、同ホルダ３によりレール２を支持するものである。
以下、この内容について詳しく説明する。
【００４３】
レール２は図１に示すように、長尺状の板状部材で構成されている。
本例においてレール２の断面は長方形状に形成されているが、同レール２の断面は正方形を含む任意の多角形状や円形状を選択してもよい。
またレール２の材質は、金属製・合成樹脂製・木製のいずれを選定してもよい。
【００４４】
本例のブラケットホルダ３の左右両方の側面と上面には図５（ａ）・図５（ｂ）に示すように、レール２の断面と同一形状かつ同一サイズのクランプ差込口３１が開口している。
同図５（ａ）・図５（ｂ）の例ではブラケットホルダ３に対して３つのクランプ差込口３１−１〜３１−３が設けられているが、クランプ差込口３１の数は４口以上でもよい。
【００４５】
これらクランプ差込口３１−１〜３１−３のうち、クランプ差込口３１−２はブラケットホルダ３上面に設けられたものである。
また同ホルダ３の右側面にあるクランプ差込口３１−１ならびに左側面にあるクランプ差込口３１−３は、左右対称の位置に設けられている。そのため一方の側面にあるクランプ差込口３１−１（または３１−３）から挿通したレール２を押込むことで、反対側のクランプ差込口３１−３（または３１−１）を貫通することが可能である。
【００４６】
さらにブラケットホルダ３の正面には図５（ａ）・図５（ｂ）に示すように、係合溝３０が設けられている。
なお図５（ａ）の例では、各クランプ差込口３１−１〜３１−３にそれぞれ対応するように各係合溝３０−１〜３０−３が設けられている。
このクランプ差込口３１を利用することで図１１に例示するように、背面にクランプ３４が装着された種々の物品（ドリンクホルダ３６Ａやフック３６Ｂ、釣竿受（図示略）など）をブラケットホルダ３に取付可能である。
【００４７】
なお同図１１に示すドリンクホルダ３６Ａ・フック３６Ｂの背面には、クランプ３４と平行に爪部３５が取付けられている。この爪部３５は、クランプ３４がクランプ差込口３１−１に挿通された際に、同差込口３１−１に対応する係合溝３０−１と噛合うようになっている。
このようにすることで、クランプ３４によりクランプ差込口３１−１に取付けられたドリンクホルダ３６Ａ・フック３６Ｂ（図１１）が障害物に衝突した場合でも、その衝撃により位置ずれしたり、落下することを未然防止することができる。
【００４８】
さらに図１１に示したクランプ機構（クランプ３４と爪部３５）は、クランプ差込口３１がレール２の断面と同一形状かつ同一サイズに選定されているから、必然的にレール２にも取付けることが可能である。
換言すれば、ブラケットホルダ３により支持されたレール２（図２）を図１１のクランプ３４と爪部３５により挟み込むことで、ドリンクホルダ３６Ａ・フック３６Ｂ（図１１）を水平に架け渡したレール２に装着できる。
【００４９】
また上記ブラケットホルダ３には図５（ａ）に示すように、複数のネジ穴３２が正面に設けられている。
同図５（ａ）の例では３つのネジ穴３２−１〜３２−３が設けられているが、クランプ差込口３１と同様にネジ穴３２の数についても任意に選択可能である。
釣り用レールキャリア１の使用者は用途に応じて、ネジ穴３２に対するネジＢのネジ止めによりドリンクホルダや小物入れをはじめとする任意の物品を取付可能である。
【００５０】
具体的には図１２に示すように、留穴３８（図１２の例では留穴３８−１〜３８−３）が穿たれたプレート３７を介して種々の物品（フック３６Ｂ、ドリンクホルダ・釣竿受（図示略）など）をブラケットホルダ３（ネジ穴３２）にネジＢで取付可能である。
またブラケットホルダ３正面のネジ穴３２を使用して、ネジＢ（または、雄ネジに樹脂製・ゴム製の頭部を設けたノブ）によりレール２を締付けることで同レール２の移動を制御（抜落ち防止のための位置固定）できる。
【００５１】
なお図５（ａ）においては直方体形状のブラケットホルダ３を例示しているが、左右側面・上面のクランプ差込口３１ならびに正面の複数のネジ穴３２を有するものであれば同ホルダ３の全体形状は任意（例えば、台形状・半円形状など）でよい。
【００５２】
つぎに吸盤ベース４の構造について説明する。
図３に示すように吸盤ベース４は、吸盤４１と、レバー４２と、円錐型コイルバネ４３とを備えている。
吸盤４１は、被吸着面に吸着する吸着面４１１（図７（ｂ）参照）と、吸着面４１１の裏面部分である非吸着面４１２（図７（ａ）参照）からなる弾性部材である。
吸盤４１は、ゴムなどの軟性材料で構成される。本例では図７（ａ）のように、吸盤４１はゴム製の平板から作製されている。
【００５３】
なお図９において円錐型コイルバネ４３の自然長は非吸着面４１２から連結点Ｐまでの距離よりも長いため、同コイルバネ４３は「自然長よりも圧縮された状態」で非吸着面４１２と連結点Ｐの間に挟まれている。
これにより吸盤４１を被吸着面から遠ざける向きに、円錐型コイルバネ４３の引張力が非吸着面４１２中央部に作用する。
その結果、平板状の弾性部材で構成された吸盤４１が変形し、図９に示すように吸着面４１１の一部はくぼみ、その裏側にあたる非吸着面４１２の一部は隆起する。
【００５４】
さらに吸盤４１には図８に示すように、非吸着面４１２の中央部に対して、起立した垂直軸４１３が取付けられる。
図３の例では、吸盤４１ならびに垂直軸４１３が物理的に別々の部材で構成されているが、垂直軸４１３は吸盤４１本体と物理的に同一とするために一体成型してもよい。
なお吸盤ベース４本体は、吸盤４１の非吸着面４１２がブラケットホルダ３背面と向き合うように同ブラケットホルダ３に連結される。
【００５５】
レバー４２は図３に示すように、吸盤４１を被吸着面から着脱するための棒状の部材からなる。同レバー４２の材料は、金属製・合成樹脂製・木製のいずれでもよい。
レバー４２は、垂直軸４１３に対して芯状部材４２１により回動可能に連結（軸支）される。
【００５６】
そのため芯状部材４２１によりレバー４２と垂直軸４１３が連結された一端は「テコの支点」（図９中の連結点Ｐ）を成すとともに、開放端であるレバー４２の他端は「テコの力点」を成している。
なお使用者がレバー４２を操作（上げ下げ）したときの「テコの作用点」は、垂直軸４１３の根元にあたる吸盤４１の中央部である。
【００５７】
円錐型コイルバネ４３は図３に示すように、螺旋状の細線部材により構成された円錐型の弾性部材である。本例において円錐型コイルバネ４３は図９に示すように、吸盤４１の垂直軸４１３に挿通される
また同コイルバネ４３の自然長は、吸盤４１の非吸着面４１２からテコの支点（垂直軸４１３とレバー４２の連結点Ｐ）までの距離よりも長く構成されている。そのため同コイルバネ４３は、自然長よりも縮めた状態で非吸着面４１２と連結点Ｐの間に挟まれている。
なお上記コイルバネ４３には円筒型のコイルバネも採用可能ではあるものの、コイルバネ４３を円錐型とした方が円筒型よりも縮めたときの厚みを薄くすることができ、吸盤のサイズをよりコンパクトにすることが可能になる。
【００５８】
以下、上記構成を有する本レールキャリア１の使用方法を説明する。
釣り用レールキャリア１の組立前は、吸盤ベース４のレバー４２は上がった状態（図９）となっている。
そのため同図９のように、まず使用者は吸盤ベース４の吸盤４１（吸着面４１１）を、同ベース４の取付対象とする被吸着面に密着させる。これにより同吸着面４１１と被吸着面で囲まれた閉空間内から空気がある程度排出される。
なお本レールキャリア１が具備する吸盤ベース４は高い吸着性能を有するため、微細な粒状の突起が複雑に形成された「シボ面」も取付対象（被吸着面）として選択可能である。
【００５９】
つぎに使用者は「レバー４２の押下げ操作」を行う。この操作に伴い図１０に示すように、吸盤４１の非吸着面４１２に取付けられた垂直軸４１３が被吸着面から遠ざかる方向に引っ張られる。
このとき吸着面４１１と被吸着面が密着した状態のまま同吸着面４１１と被吸着面で囲まれた閉空間（図１０におけるドーム状空間）の体積が増すことになるため、結果的に同空間内部の負圧が低くなり真空状態に近づく。
すると大気圧により吸盤４１が被吸着面に押付けられ、吸盤４１の吸着面４１１が被吸着面に吸着する。
このとき吸盤ベース４１の耐荷重として、本願発明者の実測値により少なくとも６キログラムの耐荷重が保証される。
【００６０】
上記のごとく吸盤ベース４を被吸着面に取付けると、つぎに使用者はブラケットホルダ３にレール２を取付ける。
ここでレール２を水平方向に懸架する場合、使用者はブラケットホルダ３の側面にあるクランプ差込口３１からレール２を挿通する（図２）。このときレール２は、レール軸方向が被吸着面と平行に固定されるとともに同レール軸方向にスライド移動可能となる。
またレール２を地面に対して垂直方向に支持したい場合、使用者はブラケットホルダ３上面にあるクランプ差込口３１にレール２を差込むことも可能である。
なおブラケットホルダ３正面のネジ穴３２を通じてレール２をネジＢで締付けることで、レール位置を固定可能である。
【００６１】
つぎにレール２を取外すときの動作について説明する。
レバー４２が押下げられた状態（図１０）のときに使用者が「レバー４２の引上げ操作」を行うと、吸盤４１の非吸着面４１２に取付けられた垂直軸４１３が被吸着面に近づく方向に押される（図９）。
このとき吸盤４１の吸着面４１１と被吸着面で囲まれた閉空間の体積が減少し、同空間内部の圧力が高くなり真空状態でなくなる。そのため吸盤ベース４が被吸着面に対する吸着状態から解放される。
【００６２】
なお図９のようにレバー４２が引上げられると、円錐型コイルバネ４３は吸盤４１の非吸着面４１２から受けていた圧縮力から解放される。
すると円錐型コイルバネ４３の復元力が吸盤４１の吸着面４１１中央部に作用し、同吸着面４１１の中央部が突き出るように吸盤４１の形状が変形される（同図９）。
このように吸着面４１１の中央部が突出することで、つぎに吸盤４１を取付ける際の吸着面４１１と被吸着面で囲まれる閉空間の体積が小さくなり、同吸着面４１１における負圧の低減効果を向上できる。
【００６３】
以上説明したように実施形態１の釣り用レールキャリア１によれば吸盤ベースと連結されたブラケットホルダに対し、取付方式の異なる２種類の取付孔（ネジ穴３２、クランプ差込孔３１）がそれぞれ複数箇所に設けられている（図１）。
そのため使用者の置かれた状況に応じて柔軟に、小物入れ・ドリンクホルダ・釣竿受を取付けたり、懸架するためのレールを設置することが可能となっている。
【００６４】
また実施形態１によれば吸盤４１が被吸着面から取外された状態（レバー４２を引上げた状態）にあるとき、円錐型コイルバネの復元力により吸盤の吸着面４１１中央部が突き出るため（図９）、吸盤内の閉空間の体積を小さくできる。
これにより吸盤内に閉込められる空気の量が少なくなり通常の吸盤ベースよりも吸盤の負圧を下げる（低くする）ことができるため、釣用具を懸架するレールをクーラーボックス壁面をはじめとする「任意の取付場所に高い吸着力で固着可能」となる。
【００６５】
［実施形態２］
本発明の実施形態２は、被吸着面と直交する鉛直面内で「レールを傾斜」することができるように釣り用レールキャリア１Ａを構成した例である。
【００６６】
本例の釣り用レールキャリア１Ａにおいてブラケットホルダ３と吸盤ベース４は、図１３に示すような「ヒンジ機構５」により相互に連結されている。
同ヒンジ機構５の軸まわりにブラケットホルダ３を回動させることで（図１４参照）、同ホルダ３を被吸着面に対して傾斜させることが可能となる。なお同図１４中の破線矢印は、被吸着面に垂直な鉛直面内におけるブラケットホルダ３の回動方向を表す。
【００６７】
実施形態２によればヒンジ機構５を用いて、ブラケットホルダ３と吸盤ベース４が回動可能に連結されている。
そのため実施形態１と同様に壁面（被吸着面）沿いにレール２を取付ける機能に加え、同ホルダ３が被吸着面から突き出した状態（図１４）のときにレール２をクランプ差込口３１−２に挿通することでフック機能も付加できる。
これにより本願の釣り用レールキャリアを利用して、帽子・上着・持手付の袋・リュックをはじめ様々な野外用品を吊下げることが可能になる。
【００６８】
［変形例：伸縮自在なレールの採用］
上記実施形態の釣り用レールキャリアでは、レールとして複数の長尺状板部材を伸縮自在に継ぎ合せて形成したものも使用可能である。
図１５（ａ）の例では、レール２Ａは長手軸方向にスライド可能に構成されており、伸縮自在な構造となっている。
またレールの構造は、図１５（ｂ）に示すレール２Ｂのように細長で直方体形状の複数の箱部材を入れ子構造にすることも可能である。
上記構成を採用することにより、釣場の状況（広いスペース・狭いスペース）や吸盤ベースを吸着させる土台の大きさに応じて、延ばすレールの長さを自由に選択できる。
そのため吸盤ベース４の取付位置を動かすことなくレールを伸縮するだけで、釣り用レールキャリアを様々な利用シーンに適用可能になる。
【００６９】
［変形例：ストッパ］
上記実施形態の釣り用レールキャリアでは図１６に示すように、レール２の両端部にストッパ６を取付けることも可能である。
このようにすることで釣り人がレール２の端部分に誤ってぶつかってしまった場合でも、ストッパ６によりレール２の端部分が係止される。そのため衝突の勢いで、ブラケットホルダ３左右側面のクランプ差込口３１からレール２が抜落ちてしまう事態を防ぎ得る。
【００７０】
［変形例：クランプ差込口とネジ穴の配設位置］
上記実施形態の釣り用レールキャリアでは、ブラケットホルダ３におけるクランプ差込口３１とネジ穴３２の配設位置を相互に入替えることも可能である。
すなわち実施形態１・２においてブラケットホルダ３左右側面に配設されていたクランプ差込口３１を、図１７に示すように同ホルダ３の正面に配設する（図１７のクランプ差込口３１−４・３１−５参照）。
また実施形態１・２においてブラケットホルダ３正面に配設されていたネジ穴３２は、図１７のごとく同ホルダ３の左右側面に配置する（図１７の左側面部に設けられたネジ穴３２−４〜３２−６参照）。
【００７１】
図１７に示したブラケットホルダ３を吸盤ベース４により被吸着面に取付けた場合、レール２が同ホルダ３正面のクランプ差込口３１−４ないしは３１−５から挿通されると、同レール２は、レール軸方向が被吸着面に対して垂直向きに固定される。
なおクランプ差込口３１をブラケットホルダ３の正面に配設し且つネジ穴３２をブラケットホルダ３の左右側面に配設した構成においても、左右側面のネジ穴３２（図１７の例では、ネジ穴３２−４〜３２−６）を通じてネジＢで締付けることで、正面のクランプ差込口３１（図１７の例では、クランプ差込口３１−４）から挿通されたレール２の位置を固定可能である。
【００７２】
またレール２がブラケットホルダ３上面のクランプ差込口３１−６・３１−７（図１８（ａ））から挿通されることにより、同レール２は、被吸着面と直交する鉛直面内でヒンジ機構４の開閉に付随して傾斜可能となる。
上述した図１７においてもブラケットホルダ３と吸盤ベース４は、一体成型により物理的に同一の部材として構成してもよい。
【００７３】
なお図１８（ａ）の例では図１７に示したブラケットホルダ３の上面に、側面と平行に延伸するクランプ差込口３１−６・３１−７を設けているが、クランプ差込口３１の向きは図１８（ｂ）のように同ホルダ３正面と平行に延伸するように配設してもよい。
【００７４】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【符号の説明】
【００７５】
１  釣り用レールキャリア
２  レール
３  ブラケットホルダ
３０  係合溝
３１  クランプ差込口
３２  ネジ穴
４  吸盤ベース
４１  吸盤
４２  レバー
４３  円錐型コイルバネ
５  ヒンジ機構
６  ストッパ
【要約】
【課題】釣用具を懸架するレールを、任意の取付場所に高い吸着力で着脱可能とする。
【解決手段】釣り用レールキャリア１は、長尺状のレール２と、同レールの断面と同一形状かつ同一サイズのクランプ差込口３１が左右側面・上面に開口し且つ複数のネジ穴３２が正面に設けられたブラケットホルダ３と、同ホルダに連結される吸盤ベース４とを有する。本レールキャリアは、レバー４２の押下げ操作により吸盤４１の吸着面が被吸着面に吸着しているときにレールがブラケットホルダ左右側面のクランプ差込口から挿通されると、レールはレール軸方向が被吸着面と平行に固定されるとともに同レール軸方向にスライド移動可能となる。またレバーの引上げ操作により円錐型コイルバネが非吸着面による圧縮力から解放されると、円錐型コイルバネの復元力により吸盤の吸着面の中央部が突き出ることで、次回吸着時における同吸着面の負圧を減少させる。
【選択図】図１【図１】
0005894315.tif 000002
【図２】
0005894315.tif 000003
【図３】
0005894315.tif 000004
【図４】
0005894315.tif 000005
【図５】
0005894315.tif 000006
【図６】
0005894315.tif 000007
【図７】
0005894315.tif 000008
【図８】
0005894315.tif 000009
【図９】
0005894315.tif 000010
【図１０】
0005894315.tif 000011
【図１１】
0005894315.tif 000012
【図１２】
0005894315.tif 000013
【図１３】
0005894315.tif 000014
【図１４】
0005894315.tif 000015
【図１５】
0005894315.tif 000016
【図１６】
0005894315.tif 000017
【図１７】
0005894315.tif 000018
【図１８】
0005894315.tif 000019